(57)【要約】【課題】ネットワーク環境が十分に整っていない場所において円滑に工程情報を収集できる工程情報収集システムおよび工程情報収集方法を提供する。【解決手段】工程情報収集システムは、物品に対応付けられたタグ２と、物品に対して行われる工程に対応づけられ、タグ２を検出しているときに工程に関連する工程実績情報をタグ２に記憶させる工程端末装置３と、タグ２が記憶する工程実績情報をタグ２から取得する管理用端末装置１と、を備える。【選択図】図１
2018190272.tif 000002
【特許請求の範囲】
【請求項１】
物品に対応付けられたタグと、
物品に対して行われる工程に対応づけられ、前記タグを検出しているときに前記工程に関連する第１工程情報を前記タグに記憶させる工程端末装置と、
前記タグが記憶する前記第１工程情報を前記タグから取得する管理用端末装置と、を備える、
工程情報収集システム。
【請求項２】
前記工程端末装置は、前記第１工程情報を、誤り検出情報と対応付けて前記タグに記憶させ、
前記管理用端末装置は、前記誤り検出情報に基づいて、前記タグから取得した前記第１工程情報の誤りを検出すると、誤りを検出した第１工程情報に対応する工程識別情報を表示する、
請求項１に記載の工程情報収集システム。
【請求項３】
前記管理用端末装置は、前記タグから取得した前記第１工程情報の誤りの検出結果に応じて、前記第１工程情報から前記第１工程情報とは異なる第２工程情報を生成する、
請求項１または２に記載の工程情報収集システム。
【請求項４】
物品に対応付けられたタグと、
物品に対して行われる工程に対応づけられ、前記工程に関連する第２工程情報を生成し、前記タグを検出しているときに前記第２工程情報を前記タグに記憶させる工程端末装置と、
前記工程端末装置とネットワークを介して接続され、前記タグが記憶する前記第２工程情報を前記タグから取得する管理用端末装置と、を備え、
前記管理用端末装置は、前記工程に関連する第１工程情報から、前記第１工程情報とは異なる前記第２工程情報を生成するよう指示するコマンド情報を、前記ネットワークを介して前記工程端末装置へ送信し、
前記工程端末装置は、前記コマンド情報に従って、前記第１工程情報から前記第２工程情報を生成する、
工程情報収集システム。
【請求項５】
前記工程端末装置は、前記第２工程情報を、誤り検出情報と対応付けて前記タグに記憶させ、
前記管理用端末装置は、前記誤り検出情報に基づいて、前記タグから取得した前記第２工程情報の誤りを検出すると、誤りを検出した第２工程情報に対応する工程識別情報を表示する、
請求項４に記載の工程情報収集システム。
【請求項６】
物品に対応付けられたタグと、物品に対して行われる工程に対応づけられた工程端末装置と、管理用端末装置と、を用いて工程に関する第１工程情報を収集する工程情報収集方法であって、
前記工程端末装置が、前記タグを検出しているときに前記工程に関連する第１工程情報を前記タグに記憶させるステップと、
前記管理用端末装置が、前記タグが記憶する前記第１工程情報を前記タグから取得するステップと、を含む、
工程情報収集方法。
【請求項７】
物品に対応付けられたタグと、物品に対して行われる工程に対応づけられた工程端末装置と、前記工程端末装置とネットワークを介して接続された管理用端末装置と、を用いて工程に関する第２工程情報を収集する工程情報収集方法であって、
前記管理用端末装置が、前記工程に関連する第１工程情報から前記第１工程情報とは異なる前記第２工程情報を生成するよう指示するコマンド情報を、前記ネットワークを介して前記工程端末装置へ送信するステップと、
前記工程端末装置が、前記コマンド情報に従って、前記第１工程情報から前記第２工程情報を生成し、前記タグを検出しているときに、生成した前記第２工程情報を前記タグに記憶させるステップと、
前記管理用端末装置が、前記タグが記憶する前記第２工程情報を前記タグから取得するステップと、を含む、
工程情報収集方法。
【発明の詳細な説明】
【技術分野】
【０００１】
本発明は、工程情報収集システムおよび工程情報収集方法に関する。
【背景技術】
【０００２】
ＩＣタグを用いて工程管理を行う工程管理システムが提案されている（例えば特許文献１参照）。この工程管理システムでは、複数の作業工程およびその作業工程の順序と、各作業工程が作業済か否かを示す作業状態フラグと、を含む情報を記憶するＩＣタグを用いる。そして、各工程に設置される端末装置は、リーダライタで読みとったＩＣタグの情報をそのまま管理装置へ送信する。そして、管理装置では、端末装置から受信した情報に基づいて、工程を流れる物品に対する作業進捗を管理することができる。
【先行技術文献】
【特許文献】
【０００３】
【特許文献１】特開２００７−２１３１３２号公報
【発明の概要】
【発明が解決しようとする課題】
【０００４】
しかしながら、特許文献１に記載された工程管理システムでは、ＩＣタグには作業工程の順序を示す情報や作業状態フラグしか記録されておらず、ＩＣタグに記録された情報を収集するだけでは、各工程におけるより詳細な工程実績情報を収集することができない。従って、各工程における工程実績情報を収集するためには、管理装置と端末装置とをネットワークを介して接続し、端末装置からネットワークを介して管理装置へ工程情報を収集する必要がある。それ故、ネットワーク環境が十分に整っていない場所では工程実績情報の収集が困難である。
【０００５】
本発明は、上記事由に鑑みてなされたものであり、ネットワーク環境が十分に整っていない場所において円滑に工程情報を収集できる工程情報収集システムおよび工程情報収集方法を提供することを目的とする。
【課題を解決するための手段】
【０００６】
上記目的を達成するために、本発明に係る工程情報収集システムは、
物品に対応付けられたタグと、
物品に対して行われる工程に対応づけられ、前記タグを検出しているときに前記工程に関連する第１工程情報を前記タグに記憶させる工程端末装置と、
前記タグが記憶する前記第１工程情報を前記タグから取得する管理用端末装置と、を備える。
【０００７】
他の観点から見た本発明に係る工程情報収集システムは、
物品に対応付けられたタグと、
物品に対して行われる工程に対応づけられ、前記工程に関連する第２工程情報を生成し、前記タグを検出しているときに前記第２工程情報を前記タグに記憶させる工程端末装置と、
前記工程端末装置とネットワークを介して接続され、前記タグが記憶する前記第２工程情報を前記タグから取得する管理用端末装置と、を備え、
前記管理用端末装置は、前記工程に関連する第１工程情報から、前記第１工程情報とは異なる前記第２工程情報を生成するよう指示するコマンド情報を、前記ネットワークを介して前記工程端末装置へ送信し、
前記工程端末装置は、前記コマンド情報に従って、前記第１工程情報から前記第２工程情報を生成する。
【０００８】
他の観点から見た本発明に係る工程情報収集方法は、
物品に対応付けられたタグと、物品に対して行われる工程に対応づけられた工程端末装置と、管理用端末装置と、を用いて工程に関する第１工程情報を収集する工程情報収集方法であって、
前記工程端末装置が、前記タグを検出しているときに前記工程に関連する第１工程情報を前記タグに記憶させるステップと、
前記管理用端末装置が、前記タグが記憶する前記第１工程情報を前記タグから取得するステップと、を含む。
【０００９】
他の観点から見た本発明に係る工程情報収集方法は、
物品に対応付けられたタグと、物品に対して行われる工程に対応づけられた工程端末装置と、前記工程端末装置とネットワークを介して接続された管理用端末装置と、を用いて工程に関する第２工程情報を収集する工程情報収集方法であって、
前記管理用端末装置が、前記工程に関連する第１工程情報から前記第１工程情報とは異なる前記第２工程情報を生成するよう指示するコマンド情報を、前記ネットワークを介して前記工程端末装置へ送信するステップと、
前記工程端末装置が、前記コマンド情報に従って、前記第１工程情報から前記第２工程情報を生成し、前記タグを検出しているときに、生成した前記第２工程情報を前記タグに記憶させるステップと、
前記管理用端末装置が、前記タグが記憶する前記第２工程情報を前記タグから取得するステップと、を含む。
【発明の効果】
【００１０】
本発明によれば、工程端末装置が、物品に対して行われる工程に対応づけられ、工程に関連する第１工程情報をタグに記憶させ、管理用端末装置が、タグが記憶する第１工程情報をタグから取得する。これにより、工程端末装置と管理用端末装置とがネットワークを介して接続されていない環境であっても、各工程の第１工程情報を管理用端末装置に集めることができる。従って、ネットワーク環境が十分に整っていない製造現場において円滑に各工程の第１工程情報を収集できる。
【００１１】
また、本発明によれば、管理用端末装置が、工程に関連する第１工程情報から第１工程情報とは異なる第２工程情報を生成するよう指示するコマンド情報を、ネットワークを介して工程端末装置へ送信する。そして、工程端末装置が、コマンド情報に従って、第１工程情報から第２工程情報を生成し、生成した第２工程情報をタグに記憶させ、管理用端末装置が、タグが記憶する第２工程情報をタグから取得する。これにより、管理用端末装置と工程端末装置とを接続するネットワークの通信負荷を低減しつつ、各工程の集計用情報を管理用端末装置に集めることができるので、ネットワークのユーサビリティを向上させることができる。また、第２工程情報の大きさを第１工程情報の大きさに比べて小さくすることにより、タグに要求される記憶容量を低減できる。
【図面の簡単な説明】
【００１２】
【図１】本発明の実施の形態１に係る工程情報収集システムを示す概略図である。
【図２】（Ａ）は実施の形態１に係る工程端末装置の構成を示すブロック図であり、（Ｂ）は実施の形態１に係る管理端末装置の構成を示すブロック図である。
【図３】（Ａ）は実施の形態１に係る工程実績情報データベースの内容を示す図であり、（Ｂ）はタグが記憶するレコードを示す図であり、（Ｃ）は集計用情報データベースの内容を示す図である。
【図４】実施の形態１に係る工程端末装置が実行する情報書き込み処理の流れの一例を示すフローチャートである。
【図５】（Ａ）は実施の形態１に係る工程端末装置の表示部に表示される表示画面の一例を示す図であり、（Ｂ）は実施の形態１に係る工程端末装置の表示部に表示される表示画面の一例を示す図であり、（Ｃ）は実施の形態１に係る管理用端末装置の表示部に表示される表示画面の一例を示す図である。
【図６】実施の形態１に係る管理用端末装置が実行する集計用情報生成処理の流れの一例を示すフローチャートである。
【図７】本発明の実施の形態２に係る工程情報収集システムを示す概略図である。
【図８】実施の形態２に係る工程端末装置の構成を示すブロック図である。
【図９】実施の形態２に係る工程情報収集システムの動作を示すシーケンス図である。
【図１０】実施の形態２に係る工程端末装置が実行する集計用情報生成書き込み処理の流れの一例を示すフローチャートである。
【発明を実施するための形態】
【００１３】
（実施の形態１）
以下、本発明の一実施の形態に係る工程情報収集システムについて図面を参照して詳細に説明する。本実施の形態に係る工程情報収集システムは、製造ラインで使用される作業伝票に貼り付けられたタグを利用して製造ラインの各工程の工程情報を収集するものである。工程情報は、例えば各工程における工程名や作業開始時刻、作業終了時刻等の実績を示す工程実績情報から構成される。
【００１４】
この工程情報収集システムは、図１に示すように、タグの読み込み書き込みを行うためのリーダライタ５が接続された管理用端末装置１と、タグ２と、複数の工程端末装置３と、を備える。管理用端末装置１は、有線ＬＡＮ（Local Area Network）または無線ＬＡＮを介して集計用サーバ（図示せず）に接続されている。工程端末装置３と管理用端末装置１とは、例えば製造部門が管理する製造現場に設置されている。集計用サーバは、例えば品質保証部門のような製造部門を間接的に支援する管理部門が保有している。管理部門は、例えば集計用サーバで集計して得られる各工程の性能評価の結果を製造部門にフィードバックすることにより製造部門を支援する。
【００１５】
タグ２は、例えばパッシブタグであり、物品を製造するための各工程における作業指示を記載した作業伝票Ｐに貼り付けられている。これにより、タグ２は、各工程において作業伝票Ｐに記載された指示に従って作業がなされることにより製造される物品に対応付けられている。なお、タグ２は、パッシブタグに限定されるものではなく、アクティブタグであってもよい。
【００１６】
複数の工程端末装置３は、物品に対して行われる各工程（例えば図１の「工程１」、「工程２」、・・・「工程Ｎ」）に対応づけられている。例えば、複数の工程端末装置３は、各工程が実施される場所に配置されている。工程端末装置３は、例えばタブレット型端末装置であり、作業者が工程端末装置３に対して行った操作に応じて、工程に関連する工程実績情報（第１工程情報）をタグ２に記憶させる。この工程端末装置３は、図２（Ａ）に示すように、ＣＰＵ（Central Processing Unit）３１と主記憶部３２と補助記憶部３３と入力部３４と表示部３５とリーダライタ３６と各部を接続するバス３７とを備える。主記憶部３２は、ＲＡＭ（Random Access Memory）等の揮発性メモリから構成される。このメモリはＣＰＵ３１の作業領域として用いられる。補助記憶部３３は、磁気ディスク、半導体メモリ等の不揮発性メモリを有している。補助記憶部３３は、ＣＰＵ３１が実行するプログラムおよび各種パラメータ等を記憶している。また、補助記憶部３３は、工程端末装置３に対応する工程実績情報が記録された工程実績情報データベース（以下、「ＤＢ」と称する。）３３１を有する。
【００１７】
入力部３４は、例えばタッチパネルである。入力部３４は、製造ラインの作業者が入力する各種操作情報を受け付けて、受け付けた操作情報をＣＰＵ３１へ出力する。表示部３５は、例えば液晶ディスプレイである。表示部３５は、ＣＰＵ３１から入力された各種情報を表示する。リーダライタ３６は、例えばＮＦＣ（Near Field Communication）の通信規格に適合した通信方式により、タグ２への情報の書き込みまたはタグ２からの情報の取得を実行する。
【００１８】
ＣＰＵ３１は、補助記憶部３３が記憶するプログラムを主記憶部３２に読み込んで実行することにより、表示制御部３１１、タグ検出部３１２、工程実績情報取得部３１３および記録部３１４として機能する。表示制御部３１１は、初期画面または作業者が工程実績情報を入力するための情報入力画面を生成して表示部３５に表示させる。
【００１９】
タグ検出部３１２は、リーダライタ３６から通知されるタグ検出情報に基づいて、リーダライタ３６にタグ２が翳されたことを検出する。
【００２０】
工程実績情報取得部３１３は、作業者が入力部３４を操作して入力した工程実績情報を取得して工程実績情報ＤＢ３３１に記憶させる。工程実績情報ＤＢ３３１は、例えば図３（Ａ）に示すように、工程名、作業者名、工程回数、開始時刻、終了時刻、完了数量を示す各種工程実績情報を、これらを記録するタグ２のタグ識別情報に対応づけた形で記憶している。ここで、工程名は、工程端末装置３に対応付けられた工程名であり、工程回数は、繰り返し行った回数を示す。例えば「××工程」を過去に繰り返し２回行い今回が３回目である場合は、「３」に設定される。開始時刻は、工程端末装置３に対応付けられた工程の作業開始時刻を示し、終了時刻は、同工程の作業終了時刻を示す。完了数量は、対象となる作業工程を行うことにより工程を完了させた製品の数量を示す。例えば６つの製品について「××工程」を完了させた場合、「６」に設定される。ここにおいて、タグ検出部３１２によりタグ２がリーダライタ３６に翳されたことが検出されると、そのタグ２のタグ識別情報を取得して工程実績情報ＤＢ３３１に記憶させる。そして、そのタグ２がリーダライタ３６に翳された状態で、工程実績情報取得部３１３が、取得した各種工程実績情報をタグ識別情報に対応づけて工程実績情報ＤＢ３３１に記憶させる。
【００２１】
図２（Ａ）に戻って、記録部３１４は、タグ２がリーダライタ３６に翳された状態で、工程実績情報ＤＢ３３１から工程実績情報を取得してタグ２へ記録する。記録部３１４は、例えば図３（Ｂ）に示すように、ステータス、工程名、作業者名、工程回数、開始時刻、終了時刻、完了数量を示す各種工程実績情報と誤り検出情報とをメンバとする構造体（以下、「レコード」と称する。）を順番に記録していく。ここで、記録部３１４は、ＮＦＣフォーラムが定めたフォーマットＮＤＥＦ（NFC Data Exchange Format）に則ってレコードを記録する。即ち、記録部３１４は、工程実績情報を、誤り検出情報と対応付けてタグ２に記憶させる。誤り検出情報としては、例えばチェックサム、パリティ符号、巡回符号等を採用することができる。
【００２２】
管理用端末装置１は、例えば汎用のパーソナルコンピュータであり、製造ラインにおける作業伝票を発行したり作業伝票を回収したりする場所に設置されている。管理用端末装置１は、作業伝票発行時にタグ２に初期情報を記憶させるとともに、物品の製造が完了し作業伝票を回収する際、タグ２が記憶する工程実績情報をタグ２から取得する。管理用端末装置１は、図２（Ｂ）に示すように、ＣＰＵ１１と主記憶部１２と補助記憶部１３と入力部１４と表示部１５とリーダライタインタフェース（以下、「Ｒ／Ｗインタフェース」と称する。）１６とＬＡＮインタフェース１７と各部を接続するバス１８とを備える。補助記憶部１３は、ユーザが集計用に使用する集計用情報を記憶する集計用情報ＤＢ１３１を有する。ここで、集計用情報は、タグ２から読み取った工程実績情報を加工することにより生成される。Ｒ／Ｗインタフェース１６は、例えばシリアルインタフェースであり、リーダライタ５に接続されている。ＬＡＮインタフェース１７は、有線ＬＡＮ（Local Area Network）または無線ＬＡＮに接続されている。ＬＡＮインタフェース１７は、例えば無線ＬＡＮに接続される場合、無線モジュールを備える。
【００２３】
ＣＰＵ１１は、補助記憶部１３が記憶するプログラムを主記憶部１２に読み込んで実行することにより、タグ検出部１１１、読み取り部１１２、誤り検出部１１３、集計用情報生成部１１４、送信部１１５および表示制御部１１６として機能する。タグ検出部１１１は、リーダライタ５からＲ／Ｗインタフェース１６を介して通知されるタグ検出情報に基づいて、リーダライタ５にタグ２が翳されたことを検出する。リーダライタ５は、例えばＮＦＣの通信規格に適合した通信方式により、タグ２への情報の書き込みまたはタグ２からの情報の取得を実行する。
【００２４】
読み取り部１１２は、タグ２からタグ２が記憶する各種工程実績情報と誤り検出情報並びにタグ識別情報とを読み取って主記憶部１２に記憶させる。誤り検出部１１３は、レコード毎に、誤り検出情報に基づいて、タグ２が記憶する各種工程実績情報の誤りを検出する。誤り検出部１１３は、工程実績情報の誤りを検出すると、誤りを検出した工程実績情報に対応する工程名を示す工程名情報（工程識別情報）を表示制御部１１６へ通知する。
【００２５】
集計用情報生成部１１４は、主記憶部１２が記憶する、タグ２から取得した各種工程実績情報から集計用情報（第２工程情報）を生成して集計用情報ＤＢ１３１に記憶させる。ここで、集計用情報ＤＢ１３１は、例えば図３（Ｃ）に示すように、処理時間、単位数量当たりの処理時間を示す各種集計用情報を、工程名、作業者名、工程回数、完了数量を示す工程実績情報に対応づけた形で記憶している。ここで、集計用情報生成部１１４は、工程実績情報が示す開始時刻から終了時刻までの間の時間を処理時間として算出し、算出した処理時間を完了数量で除して得られる時間を単位数量当たりの処理時間として算出する。また、集計用情報生成部１１４は、タグ２から取得した工程実績情報の誤りの検出結果に応じて、工程実績情報から集計用情報を生成する。具体的には、集計用情報生成部１１４は、タグ２から取得した工程実績情報のうち、誤りが検出された工程実績情報以外の工程実績情報から集計用情報を生成する。
【００２６】
図２（Ｂ）に戻って、送信部１１５は、集計用情報ＤＢ１３１が記憶する集計用情報を、ＬＡＮインタフェース１７を介してＬＡＮに接続された集計用サーバへ送信する。表示制御部１１６は、操作画面またはタグ２からの工程実績情報の読み取りが不可能であることを示すアラーム通知情報を生成して表示部１５に表示させる。
【００２７】
表示制御部１１６は、表示画像を生成して表示部１５に表示させる。表示制御部１１６は、誤り検出部１１３から誤りを検出した工程実績情報に対応する工程名情報が通知されると、通知された工程名情報が示す工程名を表示部１５に表示させる。
【００２８】
次に、工程端末装置３が実行する情報書き込み処理について図４を参照しながら説明する。この情報書き込み処理は、例えば作業者が工程端末装置３へ電源を投入した後、情報書き込み処理を実行するアプリケーションを起動させたことを契機として開始される。また、アプリケーション起動時において、表示制御部３１１が初期画面を表示部３５に表示させる。
【００２９】
まず、タグ検出部３１２は、リーダライタ３６に翳されたタグ２を検出したか否かを判定する（ステップＳ１０１）。タグ検出部３１２が、タグ２を検出していないと判定すると（ステップＳ１０１：Ｎｏ）、表示制御部３１１が、引き続き初期画面を表示部３５に表示させて（ステップＳ１０２）、再びステップＳ１０１の処理を実行する。一方、タグ検出部３１２が、タグ２を検出したと判定すると（ステップＳ１０１：Ｙｅｓ）、表示制御部３１１は、作業者が各種工程実績情報を入力するための情報入力画面を表示部３５に表示させる（ステップＳ１０３）。情報入力画面は、例えば図５（Ａ）に示すように、工程名や作業者名等の各種工程実績情報を入力するための入力欄Ｂと、入力欄Ｂへの入力が完了した際にタッチされる釦アイコンＥＫ１とを、表示部３５の表示画面３５ａに表示させる。
【００３０】
図４に戻って、次に、工程実績情報取得部３１３は、作業者による情報入力画面への工程実績情報の入力が完了したか否かを判定する（ステップＳ１０４）。ここにおいて、作業者が、情報入力画面への工程実績情報の入力が完了した後、入力部３４における完了釦アイコンの表示位置に対応する部分をタッチすると、工程実績情報取得部３１３は、工程実績情報の入力が完了したと判定する。工程実績情報取得部３１３が、工程実績情報の入力が完了していないと判定すると（ステップＳ１０４：Ｎｏ）、再びステップＳ１０１の処理が実行される。ここで、タグ検出部３１２によりタグ２が検出されている場合（ステップＳ１０１：Ｙｅｓ）、引き続き情報入力画面を表示する（ステップＳ１０３）。一方、作業者がタグ２をリーダライタ３６から離すことによりタグ検出部３１２がタグ２を検出しなくなると（ステップＳ１０１：Ｎｏ）、表示制御部３１１は、再び初期画面を表示部３５に表示させる（ステップＳ１０２）。そして、タグ検出部３１２がタグ２を検出しない限り、ステップＳ１０１、Ｓ１０２の処理が繰り返し実行される。
【００３１】
また、工程実績情報取得部３１３が、工程実績情報の入力が完了したと判定すると（ステップＳ１０４：Ｙｅｓ）、記録部３１４は、タグ２への工程実績情報の書き込みが可能であるか否かを判定する（ステップＳ１０５）。記録部３１４は、タグ２への工程実績情報の書き込みが不可能であると判定すると（ステップＳ１０５：Ｎｏ）、タグ２とのペアリングに不具合があることを通知するアラームを発行する（ステップＳ１０６）。ここで、表示制御部３１１は、アラームの発行を受けて、表示部３５にタグ２との通信エラーを作業者に通知するエラー画面を一定期間表示させる。続いて、後述のステップＳ１０８の処理が実行される。ここで、表示制御部３１１は、例えば図５（Ｂ）の一点鎖線で囲んだ表示部分Ｉ１に示すように、「タグ通信エラー！！」の文字を表示部３５の表示画面３５ａに表示させる。
【００３２】
図４に戻って、一方、記録部３１４が、タグ２への工程実績情報の書き込みが可能であると判定すると（ステップＳ１０５：Ｙｅｓ）、工程実績情報ＤＢ３３１が記憶する工程実績情報をタグ２へ書き込む（ステップＳ１０７）。その後、タグ検出部３１２は、終了指示が有るか否かを判定する（ステップＳ１０８）。終了指示は、作業者が入力部３４に対して情報書き込み処理を行うアプリケーションを終了させるための操作を行うことにより発行される。終了指示有りと判定されると（ステップＳ１０８：Ｙｅｓ）、情報書き込み処理が終了する。一方、タグ検出部３１２は、終了指示が無いと判定すると（ステップＳ１０８：Ｎｏ）、再びステップＳ１０１の処理を実行する。
【００３３】
次に、管理用端末装置１が実行する集計用情報生成処理について図６を参照しながら説明する。この集計用情報生成処理は、例えば製造ラインの管理者が管理用端末装置１へ電源を投入した後、集計用情報生成処理を実行するアプリケーションを起動させたことを契機として開始される。
【００３４】
まず、タグ検出部１１１は、リーダライタ５に翳されたタグ２を検出したか否かを判定する（ステップＳ２０１）。タグ検出部１１１が、タグ２を検出しない限り（ステップＳ２０１：Ｎｏ）、待機状態を維持する。一方、タグ検出部１１１が、タグ２を検出したと判定すると（ステップＳ２０１：Ｙｅｓ）、読み取り部１１２は、タグ２からの工程実績情報の読み取りが可能であるか否かを判定する（ステップＳ２０２）。読み取り部１１２は、タグ２からの工程実績情報の読み取りが不可能であると判定すると（ステップＳ２０２：Ｎｏ）、タグ２とのペアリングに不具合があることを通知するアラームを発行する（ステップＳ２０３）。ここで、表示制御部１１６は、アラームの発行を受けて、タグ２との通信エラーを管理者に通知するエラー情報を表示部１５に一定期間表示させる。次に、後述のステップＳ２１０の処理が実行される。
【００３５】
一方、読み取り部１１２は、タグ２からの工程実績情報の読み取りが可能であると判定すると（ステップＳ２０２：Ｙｅｓ）、タグ２からタグ識別情報、工程実績情報および誤り検出情報を含むレコードを読み取る（ステップＳ２０４）。読み取り部１１２は、タグ２から読み取ったレコードを主記憶部１２に順番に記憶させる。続いて、誤り検出部１１３は、主記憶部１２が記憶する各レコードについて、誤り検出情報を利用してレコードに含まれる情報の誤りを検出する誤り検出処理を実行する（ステップＳ２０５）。その後、誤り検出部１１３は、誤りが検出されたか否かを判定する（ステップＳ２０６）。誤り検出部１１３が誤りを検出しなかったと判定すると（ステップ２０６：Ｎｏ）、後述のステップＳ２０９の処理が実行される。一方、誤り検出部１１３が誤りを検出したと判定すると（ステップ２０６：Ｙｅｓ）、誤りが検出されたレコードと、そのレコードに対応するタグ識別情報と、に基づいて、誤りが検出されたレコードに対応する工程を推定する（ステップＳ２０７）。誤り検出部１１３は、推定した工程の工程名と誤りが検出されたレコードに対応するタグ識別情報とを表示制御部１１６に通知する。次に、表示制御部１１６は、誤り検出部１１３から通知された工程名とタグ識別情報とを表示部１５に表示させる（ステップＳ２０８）。表示制御部１１６は、例えば図５（Ｃ）の破線で囲んだ表示部分Ｐ１に示すように、誤りが検出された工程名を表示部１５の表示画面１５ａに表示させる。
【００３６】
図６に戻って、続いて、集計用情報生成部１１４は、誤り検出部１１３により情報の誤りが検出されたレコードを除くレコードに含まれる工程実績情報を加工して集計用情報を生成する（ステップＳ２０９）。集計用情報生成部１１４は、例えば作業の開始時刻、終了時刻、完了数量を示す工程実績情報から、処理時間、単位数量当たりの処理時間を示す集計用情報を生成する。集計用情報生成部１１４は、生成した集計用情報を集計用情報ＤＢ１３１に記憶させる。また、表示制御部１１６は、集計用情報生成部１１４が集計用情報の生成を完了すると、図５（Ｃ）の一点鎖線で囲んだ表示部分Ｉ２に示すように、集計用情報の生成が完了した旨を管理者に通知する情報を表示画面１５ａに追加する。
【００３７】
図６に戻って、その後、タグ検出部１１１は、終了指示が有るか否かを判定する（ステップＳ２１０）。終了指示は、管理者が入力部１４に対して集計用情報生成処理を行うアプリケーションを終了させるための操作を行うことにより発行される。終了指示有りと判定されると（ステップＳ２１０：Ｙｅｓ）、集計用情報生成処理が終了する。一方、タグ検出部１１１は、終了指示が無いと判定すると（ステップＳ２１０：Ｎｏ）、別の新たなタグ２の読み取り指示があるか否かを判定する（ステップＳ２１１）。この読み取り指示は、入力部１４に対して、新たに別のタグ２から工程実績情報を読み取るための操作を行うことにより発行される。例えば管理者が、図５（Ｃ）に示す表示画面１５ａの釦アイコンＥＫ２をタッチすると読み取り指示が発行される。タグ検出部１１１は、新たなタグの読み取り指示が無いと判定すると（ステップＳ２１１：Ｎｏ）、ステップＳ２１０の処理を実行する。一方、タグ検出部１１１は、新たなタグの読み取り指示有りと判定すると（ステップＳ２１１：Ｙｅｓ）、再びステップＳ２０１の処理を実行する。
【００３８】
以上説明したように、本実施の形態に係る工程情報収集システムでは、工程端末装置３が、物品に対して行われる工程に対応づけられ工程に関連する工程実績情報をタグ２に記憶させ、管理用端末装置１が、タグ２が記憶する工程実績情報をタグ２から取得する。これにより、工程端末装置３と管理用端末装置１とがネットワークを介して接続されていない環境であっても、各工程の工程実績情報を管理用端末装置１に集めることができる。従って、ネットワーク環境が十分に整っていない製造現場において円滑に各工程の工程実績情報を収集できる。
【００３９】
また、本実施の形態に係る工程情報収集システムでは、工程端末装置３が、工程実績情報を、誤り検出情報と対応付けてタグ２に記憶させる。そして、管理用端末装置１が、誤り検出情報に基づいて、タグ２から取得した工程実績情報の誤りを検出すると、誤りを検出した工程実績情報に対応する工程名を表示する。これにより、管理者は、例えば表示された工程名が示す工程の工程端末装置３の工程実績情報ＤＢ３３１が記憶する工程実績情報を参照することにより、誤りが検出された工程実績情報を確認することができる。
【００４０】
更に、本実施の形態に係る管理用端末装置１は、タグ２から取得した工程実績情報の誤りの検出結果に応じて、工程実績情報から集計用情報を生成する。具体的には、管理用端末装置１は、タグ２から取得した工程実績情報のうち、誤りが検出された工程実績情報以外の工程実績情報から集計用情報を生成する。これにより、生成された集計用情報の精度が向上するので、集計用情報を集計することによる各工程の性能評価の精度が向上する。
【００４１】
（実施の形態２）
本実施の形態に係る工程情報収集システムは、管理用端末装置が広域ネットワークを介して集計用サーバに接続されており、各工程端末装置が、集計用サーバから管理用端末装置を介して指定された集計用情報を生成してタグに記憶させる点が実施の形態１と相違する。本実施の形態に係る工程情報収集システムでは、各工程における工程実績情報の全てをタグに書き込むのではなく、集計用サーバから指定された集計用情報のみを書き込むようにする。これにより、タグに必要とされる記憶容量が低減される。
【００４２】
本実施の形態に係る工程情報収集システムは、例えば図７に示すように、タグ２の読み込み書き込みを行うための管理用端末装置２０１と、作業伝票に貼り付けられたタグ２と、複数の工程端末装置２０３と、を備える。管理用端末装置２０１および工程端末装置２０３は、例えばタブレット型端末装置である。管理用端末装置２０１は、広域ネットワークＮＴを介して管理部門に設置された集計用サーバ２０４に接続されている。管理用端末装置２０１と複数の工程端末装置２０３とは、無線ＬＡＮまたは有線ＬＡＮを介して接続されている。集計用サーバ２０４は、工程の性能評価に必要な集計対象を示す集計対象情報を生成して広域ネットワークＮＴを通じて管理用端末装置２０１へ送信する。
【００４３】
管理用端末装置２０１は、実施の形態１で説明した管理用端末装置１と略同様の構成であり、集計用情報生成部を有しない点で管理用端末装置１と相違する。管理用端末装置２０１は、タグ２から取得した集計用情報をそのまま集計用情報ＤＢ１３１に記憶させる。また、管理用端末装置２０１は、集計用サーバ２０４から受信した集計対象情報に基づいて、工程端末装置２０３に対して集計用情報の生成を指示する集計用情報生成コマンド（コマンド情報）を生成し、それを各工程端末装置２０３へ送信する。
【００４４】
工程端末装置２０３は、図８に示すように、ＣＰＵ３１と主記憶部３２と補助記憶部３３と入力部３４と表示部３５とリーダライタ３６とＬＡＮインタフェース２３７と各部を接続するバス３８とを備える。なお、図８において実施の形態１と同様の構成については図２（Ａ）と同一の符号を付している。補助記憶部３３は、工程実績情報ＤＢ３３１の他に、集計用情報生成コマンドを記憶するコマンドＤＢ２３３２と、集計用情報を記憶する集計用情報ＤＢ２３３３と、を有する。
【００４５】
ＬＡＮインタフェース２３７は、ＬＡＮを介して管理用端末装置２０１と通信する。
【００４６】
ＣＰＵ３１は、補助記憶部３３が記憶するプログラムを主記憶部３２に読み込んで実行することにより、表示制御部３１１、タグ検出部３１２、工程実績情報取得部３１３、記録部３１４および集計用情報生成部２３１５として機能する。集計用情報生成部２３１５は、コマンドＤＢ２３３２が記憶する集計用情報生成コマンドに従って、工程実績情報ＤＢ３３１が記憶する各種工程実績情報から集計用情報を生成する。そして、集計用情報生成部２３１５は、生成した集計用情報を集計用情報ＤＢ１３１に記憶させる。
【００４７】
次に、本実施の形態に係る工程情報収集システム全体の動作について図９を参照しながら説明する。ここでは、管理用端末装置２０１と３つの工程端末装置２０３Ａ、２０３Ｂ、２０３Ｃとの動作について説明する。まず、管理部門が所望する製造ラインに関する集計対象を示す集計対象情報が、集計用サーバ２０４から管理用端末装置２０１へ送信される（ステップＳ１）。本実施の形態では、集計対象情報が、各工程における処理時間と、各工程における製品の単位数量当たりの処理時間と、を示しているものとして説明する。
【００４８】
管理用端末装置２０１は、集計対象情報を受信すると、各工程における工程実績情報から集計対象情報に含まれる集計対象を算出する方法を示す集計用情報生成コマンドを生成する（ステップＳ２）。次に、集計用情報生成コマンドが、管理用端末装置２０１から工程端末装置２０３Ａ、２０３Ｂ、２０３Ｃへブロードキャスト送信される（ステップＳ３、Ｓ４、Ｓ５）。続いて、工程端末装置２０３Ａ、２０３Ｂ、２０３Ｃは、それぞれ、受信した集計用情報生成コマンドを後述のコマンドＤＢ２３３２に記憶させる。
【００４９】
その後、工程端末装置２０３Ａは、タグ２を検出した後（ステップＳ６）、工程実績情報が入力されると（ステップＳ７）、コマンドＤＢ２３３２が記憶する集計用情報生成コマンドに従って集計用情報を生成する（ステップＳ８）。次に、工程端末装置２０３Ａは、生成した集計用情報をタグ２へ書き込む（ステップＳ９）。また、工程端末装置２０３Ｂも工程端末装置２０３Ｃと同様に、タグ２を検出した後（ステップＳ１０）、工程実績情報が入力されると（ステップＳ１１）、集計用情報の生成（ステップＳ１２）、タグ２への集計用情報の書き込み（ステップＳ１３）を実行する。工程端末装置２０３Ｃも工程端末装置２０３Ａ、２０３Ｂと同様に、ステップＳ１４乃至Ｓ１７の処理を実行する。なお、ステップＳ１４乃至Ｓ１７の処理の内容は、ステップＳ６乃至Ｓ９の処理の内容と同様である。このようにして、タグ２には、工程実績情報に基づいて生成された集計用情報のみが書き込まれる。
【００５０】
次に、工程端末装置２０３が実行する集計用情報生成書き込み処理について図１０を参照しながら説明する。この集計用情報生成書き込み処理は、例えば作業者が工程端末装置２０３へ電源を投入した後、集計用情報生成書き込み処理を実行するアプリケーションを起動させたことを契機として開始される。また、アプリケーション起動時において、表示制御部３１１が初期画面を表示部３５に表示させる。
【００５１】
まず、ステップＳ３０１乃至Ｓ３０３の処理が実行される。ステップＳ３０１乃至Ｓ３０３の処理の内容は、実施の形態１で説明したステップＳ１０１乃至Ｓ１０３の処理の内容と同様である。次に、工程実績情報取得部３１３は、作業者による情報入力画面への工程実績情報の入力が完了したか否かを判定する（ステップＳ３０４）。工程実績情報取得部３１３が、工程実績情報の入力が完了していないと判定すると（ステップＳ３０４：Ｎｏ）、再びステップＳ３０１の処理が実行される。
【００５２】
一方、工程実績情報取得部３１３が、工程実績情報の入力が完了したと判定すると（ステップＳ３０４：Ｙｅｓ）、集計用情報生成部２３１５が、工程実績情報ＤＢ３３１が記憶する工程実績情報に基づいて集計用情報を生成する（ステップＳ３０５）。
【００５３】
続いて、記録部３１４は、タグ２への集計用情報の書き込みが可能であるか否かを判定する（ステップＳ３０６）。記録部３１４は、タグ２への集計用情報の書き込みが不可能であると判定すると（ステップＳ３０６：Ｎｏ）、アラームを発行する（ステップＳ３０７）。続いて、ステップＳ３０９以降の処理が実行される。一方、記録部３１４が、タグ２への集計用情報の書き込みが可能であると判定すると（ステップＳ３０６：Ｙｅｓ）、集計用情報ＤＢ２３３３が記録する集計用情報をタグ２へ書き込む（ステップＳ３０８）。その後、ステップＳ３０９以降の処理が実行される。なお、ステップＳ３０９の処理は、実施の形態１で説明したステップＳ１０８の処理と同様である。
【００５４】
以上説明したように、本実施の形態に係る工程情報集計システムでは、管理用端末装置２０１が、工程実績情報から集計用情報を生成するよう指示する集計用情報生成コマンドを、ＬＡＮを介して工程端末装置２０３へ送信する。そして、工程端末装置２０３が、集計用情報生成コマンドに従って、工程実績情報から集計用情報を生成し、生成した集計用情報をタグ２に記憶させ、管理用端末装置２０１が、タグ２が記憶する集計用情報をタグ２から取得する。これにより、管理用端末装置２０１と工程端末装置２０３とを接続するＬＡＮの通信負荷を低減しつつ、各工程の集計用情報を管理用端末装置２０１に集めることができるので、ＬＡＮのユーサビリティを向上させることができる。また、集計用情報の大きさを工程実績情報の大きさに比べて小さくすることにより、タグ２に要求される記憶容量を低減できる。
【００５５】
また、本実施の形態に係る工程情報収集システムでは、各工程端末装置２０３において集計用情報を生成し、管理用端末装置２０１は、タグ２から取得した集計用情報をそのまま集計用サーバ２０４へ送信する。これにより、管理用端末装置２０１に要求される情報処理能力を低くすることができるので、管理用端末装置２０１として例えばタブレット端末装置のような比較的情報処理能力の低い端末装置を採用することができる。
【００５６】
また、本実施の形態に係る工程情報収集システムでは、工程端末装置２０３が、集計用情報を、誤り検出情報と対応付けてタグ２に記憶させる。そして、管理用端末装置２０１が、誤り検出情報に基づいて、タグ２から取得した集計用情報の誤りを検出すると、誤りを検出した集計用情報に対応する工程名を表示する。これにより、管理者は、例えば表示された工程名が示す工程の工程端末装置２０３の集計用情報ＤＢ２３３３が記憶する集計用情報を参照することにより、誤りが検出された集計用情報を確認することができる。
【００５７】
以上、本発明の各実施の形態について説明したが、本発明は前述の各実施の形態の構成に限定されるものではない。例えば、管理用端末装置が、作業伝票に貼り付けられているタグ２についてその作業伝票に記載された全ての工程が完了したと判定すると、タグ２に記憶されている情報を消去してタグ２を再利用できるようにする構成であってもよい。この場合、管理用端末装置は、例えばタグ２が記憶する工程実績情報に基づいてタグ２が貼り付けられた作業伝票に記載された全ての工程が完了したか否かを判定する完了判定部と、完了判定部により全ての工程が完了したと判定されるとタグ２が記憶する工程実績情報を全て消去する情報消去部と、を備える構成とすればよい。
【００５８】
本構成によれば、作業伝票に記載された全ての工程が完了したタグ２について、そのタグ２が記憶する情報を全て消去する。これにより、タグ２の再利用が円滑に行われるようになる。
【００５９】
実施の形態に係る管理用端末装置１が、例えばタグ２に工程実績情報が記憶されているか否かを判定する記憶判定部と、記憶判定部による判定結果に応じてタグ２に初期情報を記憶させる初期情報設定部と、を備える構成であってもよい。ここにおいて、初期情報設定部は、タグ２に工程実績情報が記憶されていないと判定すると、工程に投入する製品に関する初期情報をタグ２に記憶させ、記憶判定部によりタグに工程実績情報が記憶されていると判定すると、アラームを通知するものであってもよい。
【００６０】
本構成によれば、例えば新しいタグ２と使用済のタグ２とが混在している場合に、新しいタグ２を選別することが可能となる。
【００６１】
また、本発明に係る工程端末装置３および管理用端末装置１の各種機能は、専用のシステムによらず、通常のコンピュータシステムを用いて実現可能である。例えば、ネットワークに接続されているコンピュータに、上記動作を実行するためのプログラムを、コンピュータシステムが読み取り可能な非一時的な記録媒体（ＣＤ−ＲＯＭ等）に格納して配布し、当該プログラムをコンピュータシステムにインストールすることにより、上述の処理を実行する工程端末装置３および管理用端末装置１を構成してもよい。
【００６２】
また、コンピュータにプログラムを提供する方法は任意である。例えば、プログラムは、通信回線の掲示版（ＢＢＳ）にアップロードされ、通信回線を介してコンピュータに配信されてもよい。そして、コンピュータは、このプログラムを起動して、ＯＳの制御の下、他のアプリケーションと同様に実行する。これにより、コンピュータは、上述の処理を実行する工程端末装置３または管理用端末装置１として機能する。
【００６３】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【００６４】
本発明は、ネットワーク環境が十分に整備されていない製造現場において各工程に関する工程情報を収集するのに好適である。
【符号の説明】
【００６５】
１，２０１：管理用端末装置、２：タグ、３，２０３，２０３Ａ，２０３Ｂ，２０３Ｃ：工程端末装置、５：リーダライタ、１１，３１：ＣＰＵ、１２，３２：主記憶部、１３，３３：補助記憶部、１４，３４：入力部、１５，３５：表示部、１６：Ｒ／Ｗインタフェース、１７，２３７：ＬＡＮインタフェース、１８，３７，３８：バス、１５ａ，３５ａ：表示画面、３６：リーダライタ、１１１，３１２：タグ検出部、１１２：読み取り部、１１３：誤り検出部、１１４，２３１５：集計用情報生成部、１１５：送信部、１１６，３１１：表示制御部、１３１，２３３３：集計用情報ＤＢ、２０４：集計用サーバ、３１３：工程実績情報取得部、３１４：記録部、３３１：工程実績情報ＤＢ、２３３２：コマンドＤＢ、Ｂ：入力欄、ＥＫ１、ＥＫ２：釦アイコン、Ｉ１，Ｉ２，Ｐ１：表示部分、ＮＴ：広域ネットワーク、Ｐ：作業伝票
【図１】
2018190272.tif 000003
【図２】
2018190272.tif 000004
【図３】
2018190272.tif 000005
【図４】
2018190272.tif 000006
【図５】
2018190272.tif 000007
【図６】
2018190272.tif 000008
【図７】
2018190272.tif 000009
【図８】
2018190272.tif 000010
【図９】
2018190272.tif 000011
【図１０】
2018190272.tif 000012
【手続補正書】
【提出日】平成30年7月27日(2018.7.27)
【手続補正１】
【補正対象書類名】明細書
【補正対象項目名】０００６
【補正方法】削除
【補正の内容】
【手続補正２】
【補正対象書類名】明細書
【補正対象項目名】０００７
【補正方法】変更
【補正の内容】
【０００７】
上記目的を達成するために、本発明に係る工程情報収集システムは、
物品に対応付けられたタグと、
物品に対して行われる工程に対応づけられ、前記工程に関連する集計用情報を生成し、前記タグを検出しているときに前記集計用情報を前記タグに記憶させる工程端末装置と、
前記工程端末装置とネットワークを介して接続され、前記タグが記憶する前記集計用情報を前記タグから取得する管理用端末装置と、を備え、
前記管理用端末装置は、前記工程に関連する工程実績情報に基づいて、前記集計用情報のみを生成するよう指示するコマンド情報を、前記ネットワークを介して前記工程端末装置へ送信し、
前記工程端末装置は、前記コマンド情報に従って、前記工程実績情報から前記集計用情報を生成する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
他の観点から見た本発明に係る工程情報収集方法は、
物品に対応付けられたタグと、物品に対して行われる工程に対応づけられた工程端末装置と、前記工程端末装置とネットワークを介して接続された管理用端末装置と、を用いて工程に関する集計用情報を収集する工程情報収集方法であって、
前記管理用端末装置が、前記工程に関連する工程実績情報に基づいて、前記集計用情報のみを生成するよう指示するコマンド情報を、前記ネットワークを介して前記工程端末装置へ送信するステップと、
前記工程端末装置が、前記コマンド情報に従って、前記工程実績情報から前記集計用情報を生成し、前記タグを検出しているときに、生成した前記集計用情報を前記タグに記憶させるステップと、
前記管理用端末装置が、前記タグが記憶する前記集計用情報を前記タグから取得するステップと、を含む。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、管理用端末装置が、工程に関連する工程実績情報に基づいて、集計用情報のみを生成するよう指示するコマンド情報を、ネットワークを介して工程端末装置へ送信する。そして、工程端末装置が、コマンド情報に従って、工程実績情報から集計用情報を生成し、生成した集計用情報をタグに記憶させ、管理用端末装置が、タグが記憶する集計用情報をタグから取得する。これにより、管理用端末装置と工程端末装置とを接続するネットワークの通信負荷を低減しつつ、各工程の集計用情報を管理用端末装置に集めることができるので、ネットワークのユーサビリティを向上させることができる。また、集計用情報の大きさが工程実績情報の大きさに比べて小さいので、タグに要求される記憶容量を低減できる。
【手続補正７】
【補正対象書類名】特許請求の範囲
【補正対象項目名】全文
【補正方法】変更
【補正の内容】
【特許請求の範囲】
【請求項１】
物品に対応付けられたタグと、
物品に対して行われる工程に対応づけられ、前記工程に関連する集計用情報を生成し、前記タグを検出しているときに前記集計用情報を前記タグに記憶させる工程端末装置と、
前記工程端末装置とネットワークを介して接続され、前記タグが記憶する前記集計用情報を前記タグから取得する管理用端末装置と、を備え、
前記管理用端末装置は、前記工程に関連する工程実績情報に基づいて、前記集計用情報のみを生成するよう指示するコマンド情報を、前記ネットワークを介して前記工程端末装置へ送信し、
前記工程端末装置は、前記コマンド情報に従って、前記工程実績情報から前記集計用情報を生成する、
工程情報収集システム。
【請求項２】
前記工程端末装置は、前記集計用情報を、誤り検出情報と対応付けて前記タグに記憶させ、
前記管理用端末装置は、前記誤り検出情報に基づいて、前記タグから取得した前記集計用情報の誤りを検出すると、誤りを検出した集計用情報に対応する工程識別情報を表示する、
請求項１に記載の工程情報収集システム。
【請求項３】
物品に対応付けられたタグと、物品に対して行われる工程に対応づけられた工程端末装置と、前記工程端末装置とネットワークを介して接続された管理用端末装置と、を用いて工程に関する集計用情報を収集する工程情報収集方法であって、
前記管理用端末装置が、前記工程に関連する工程実績情報に基づいて、前記集計用情報のみを生成するよう指示するコマンド情報を、前記ネットワークを介して前記工程端末装置へ送信するステップと、
前記工程端末装置が、前記コマンド情報に従って、前記工程実績情報から前記集計用情報を生成し、前記タグを検出しているときに、生成した前記集計用情報を前記タグに記憶させるステップと、
前記管理用端末装置が、前記タグが記憶する前記集計用情報を前記タグから取得するステップと、を含む、
工程情報収集方法。